(57)【要約】【課題】  被写体を確認しながらコマンドの切り替えをすることができる携帯端末装置を提供する。【解決手段】表示部３を有する装置本体２と、表示部３上に配置されたタッチパネル１０と、被写体を撮像する撮像手段と、撮像手段で撮像された被写体を表示部３に表示する制御部９と、を備え、制御部９は、撮像手段で撮像された被写体を表示部３に表示した状態で、複数のコマンドにそれぞれ対応する複数のコマンドアイコンを前記表示部に表示し、タッチパネル１０における入力に基づいて前記複数のコマンドを相互に切り替え可能である携帯端末装置。【選択図】図２
2012128599.tif 000002
【特許請求の範囲】
【請求項１】
表示部を有する装置本体と、
前記表示部上に配置されたタッチパネルと、
被写体を撮像する撮像手段と、
前記撮像手段で撮像された被写体を前記表示部に表示する制御手段と、を備え、
前記制御手段は、前記撮像手段で撮像された被写体を前記表示部に表示した状態で、複数のコマンドにそれぞれ対応する複数のコマンドアイコンを前記表示部に表示し、前記タッチパネルにおける入力に基づいて前記複数のコマンドを相互に切り替え可能である携帯端末装置。
【請求項２】
前記制御手段は、前記複数のコマンドを相互に切り替えるための第１切替アイコン及び第２切替アイコンを前記表示部に表示する請求項１に記載の携帯端末装置。
【請求項３】
前記制御手段は、前記第１切替アイコンおよび前記第２切替アイコンを互いに離間して表示する請求項２に記載の携帯端末装置。
【発明の詳細な説明】
【技術分野】
【０００１】
本発明は、携帯端末装置（例えば、携帯電話機、ＰＤＡ、スマートフォンなど）に関する。
【背景技術】
【０００２】
近年、タッチパネル式の表示部を備える携帯端末装置が普及している（例えばi-phone （登録商標））。このような携帯端末装置に関する技術として、例えば特許文献１が知られている。この携帯端末装置では、ユーザーは、全ての操作をタッチパネルにタッチすることで行うことができる。そのため、テンキー等の物理的なボタンを携帯端末装置に設ける必要がなく、シンプルな外観が実現されている。また、この携帯端末装置では、タッチパネル上を指でなぞったり、指で軽く押したりという操作が基本となる、つまり、押す操作に加えてなぞるという操作が新たに加わっているため、押す操作が基本であった従来の携帯端末装置に比べて、斬新なユーザーインターフェイスが実現されている。
【０００３】
また、このような携帯端末装置にはカメラ機能が付加されているものもあり、タッチパネルによりカメラ機能の操作を行うために、様々なデザインのユーザーインターフェイスが実現されている。
【先行技術文献】
【特許文献】
【０００４】
【特許文献１】特開２０１０−２３３２１７号公報
【発明の概要】
【発明が解決しようとする課題】
【０００５】
ところで、このような携帯端末装置では、カメラにより被写体を撮像するとき、例えば、フラッシュの強制発光や光学ズームの調節などについてのコマンドを選択することがある。この場合、コマンドを選択するときに、被写体がディスプレイに表示されていないのが一般的である。したがって、コマンドを選択するときに被写体をディスプレイで確認することができなかった。また、コマンド選択をするときはディスプレイから被写体の表示を消し、一方、被写体を表示するときはディスプレイからコマンドの表示を消すことになるので、表示の切り替えが煩わしいという問題があった。
【０００６】
本発明は、上記問題を解決するためになされたものであって、被写体を確認しながらコマンドの切り替えをすることができる携帯端末装置の提供を目的とする。
【課題を解決するための手段】
【０００７】
本発明は、上記課題を解決するための携帯端末装置であって、表示部を有する装置本体と、前記表示部上に配置されたタッチパネルと、被写体を撮像する撮像手段と、前記撮像手段で撮像された被写体を前記表示部に表示する制御手段と、を備え、前記制御手段は、前記撮像手段で撮像された被写体を前記表示部に表示した状態で、複数のコマンドにそれぞれ対応する複数のコマンドアイコンを前記表示部に表示し、前記タッチパネルにおける入力に基づいて前記複数のコマンドを相互に切り替えることができる携帯端末装置である。
【０００８】
また、上記携帯端末装置において、前記制御手段は、前記複数のコマンドを相互に切り替えるための第１切替アイコン及び第２切替アイコンを前記表示部に表示することが好ましい。
【０００９】
また、前記制御手段は、前記第１切替アイコンおよび前記第２切替アイコンを互いに離間して表示することが好ましい。
【発明の効果】
【００１０】
本発明の携帯端末装置によれば、被写体を確認しながらコマンドの切り替えをすることができる。
【図面の簡単な説明】
【００１１】
【図１】本発明の一実施形態に係る携帯端末装置の平面図であり、（ａ）は携帯端末装置の表面を示す図であり、（ｂ）は携帯端末装置の裏面を示す図である。
【図２】携帯端末装置のブロック図である。
【図３】表示部における表示の一例を示す図である。
【図４】表示部における表示の他の一例を示す図である。
【図５】表示部における表示の更に他の一例を示す図である。
【発明を実施するための形態】
【００１２】
以下、本発明の実施形態について添付図面を参照して説明する。図１は、本発明の一実施形態に係る携帯端末装置の平面図であり、（ａ）は携帯端末装置の表面を示す図であり、（ｂ）は携帯端末装置の裏面を示す図である。また、図２は、この携帯端末装置のブロック図である。
【００１３】
図１に示すように、携帯端末装置１は、装置本体２と、装置本体２の中央部に配置された表示部３と、表示部３の表面に配置されたタッチパネル１０と、装置本体２に固定されたレンズ４とを備えている。また、図２に示すように、携帯端末装置１は、装置本体２の内部に配置された撮像部７、記憶部８及び制御部９を備えている。またその他に、携帯端末装置１は、無線通信のためのアンテナ、音声通話のためのマイクやスピーカーなどを備えている（いずれも図示せず）。このような携帯端末装置１としては、特に限定されるものではなく、例えば、携帯電話機、ＰＤＡ、スマートフォンなどが挙げられる。
【００１４】
装置本体２としては、公知の携帯電話機やスマートフォンの本体を用いることができ、電源スイッチや各種ボタンを備えている。
【００１５】
表示部３としては、液晶ディスプレイや有機ＥＬディスプレイ等の公知の表示デバイスを用いることができ、その表示画面上に画像情報等を表示することができる。
【００１６】
タッチパネル１０は、ユーザーが表面をタッチすることにより入力操作を行える公知のタッチパネルであり、表示部３の上に重ねて配置されている。このタッチパネル１０としては、抵抗膜方式、表面弾性波方式、電磁誘導方式、静電容量方式等、公知の方式のものを用いることができる。
【００１７】
レンズ４は、被写体１００からの光を受光して結像するための公知のレンズである。
【００１８】
撮像部７は、レンズ４を通して入射する被写体１００の像を撮像するものである。例えば、アナログ電気信号を出力するＣＣＤ（Charge Coupled Device）やＣＭＯＳ（Complementary Metal Oxide Semiconductor）等の撮像素子を含み、レンズ４を通して入射する被写体像を光電変替し、撮像素子からのアナログ電気信号をデジタル電気信号に変替して画像データを出力するものを用いることができる。
【００１９】
記憶部８には、表示部３に表示するための画像情報が格納（記憶）されている。格納される画像情報としては、背景画像を表示するための背景画像情報、アイコンを表示するためのアイコン画像情報などがある。また、その他の画像（例えば、日時や充電状態などの画像）を表示するための画像情報も、適宜、記憶部８に格納することができる。
【００２０】
図３は、表示部３における表示の一例を示す図である。図３に示すように、アイコン画像情報としては、複数のコマンドアイコンＣ１、Ｃ２、・・・を表示するためのコマンドアイコン情報、第１切替アイコンＳ１を表示するための第１切替アイコン情報、及び、第２切替アイコンＳ２を表示するための第２切替アイコン情報がある。
【００２１】
複数のコマンドアイコンＣ１、Ｃ２、・・・は、それぞれ、複数のコマンドに対応している。これら複数のコマンドとしては、特に限定させるものではなく、例えば、メインカメラでの撮影を示すコマンド、サブカメラでの撮影を示すコマンド、フラッシュの強制発光を示すコマンド、フラッシュの発光禁止を示すコマンド、静止画撮影を示すコマンド、動画撮影を示すコマンド、光学ズームの調節を示すコマンド、デジタルズームの調節を示すコマンドなどが挙げられる。
【００２２】
第１切替アイコンＳ１および第２切替アイコンＳ２は、任意のコマンドを選択するためのアイコンであり、ユーザーのスライド操作により上記複数のコマンドを相互に切り替えるためのアイコンである。本実施形態では、図３において、第１切替アイコンＳ１は表示部３の中央部に表示されており、第２切替アイコンＳ２は表示部３の左下部に表示されている。第１切替アイコンＳ１及び第２切替アイコンＳ２の表示位置は、特に限定されるものではないが、互いに離間して表示されていることが好ましい。
【００２３】
また、第１切替アイコンＳ１および第２切替アイコンＳ２は、軌跡の入力を示すアイコンであり、ユーザーがタッチパネル１０において指で軌跡を描くと、複数のコマンドを相互に切り替え、任意のコマンドを選択することができる。本実施形態では、第１切替アイコンＳ１又は第２切替アイコンＳ２が表示されている部分におけるタッチパネル１０に、ユーザーが矢示Ｑのように円弧の軌跡を入力すると、複数のコマンドを相互に切り替えることができる。
【００２４】
制御部９は、記憶部８に記憶されている背景画像情報、及び、アイコン画像情報（コマンドアイコン情報、第１切替アイコン情報および第２切替アイコン情報）などを表示部３に表示することができる。
【００２５】
また、制御部９は、第１切替アイコンＳ１又は第２切替アイコンＳ２上のタッチパネル１０において円弧の軌跡が入力されると、複数のコマンドアイコンＣ１、Ｃ２、・・・に対応する複数のコマンドを相互に切り替えて、任意のコマンドを選択することができる。すなわち、ユーザーが、矢示Ｑのように、第１切替アイコンＳ１又は第２切替アイコンＳ２に従ってタッチパネル１０に円弧の軌跡を描くと、複数のコマンドアイコンＣ１、Ｃ２、・・・に対応する複数のコマンドが相互に切り替わる。これにより、複数のコマンドからユーザーが希望する任意の１つのコマンドが選択される。
【００２６】
また、制御部９は、その他に、撮像部７から出力された画像データに対して各種の画像処理を施すとともに、記録用や表示用に適した画像データに変替する処理を行う。例えば、撮影画像の画像データを記録する際、あるいは記録されている画像データを表示する際に、ＪＰＥＧ（Joint Photographic Experts Group）方式等に基づく画像データの圧縮処理や伸張処理を行う。そして、制御部９は、処理した画像データを、撮像画像情報として記憶部８に格納すると共に、表示部３に表示する。撮像画像としては静止画像だけでなく動画像も含む。
【００２７】
次に、上記のような構成を備える携帯端末装置１の作動について説明する。
【００２８】
まず、携帯端末装置１を起動すると、制御部９が、記憶部８に記憶されている背景画像情報およびアイコン画像情報を表示部３に表示する。これにより、表示部３には、コマンドアイコンＣ１、Ｃ２、・・・、第１切替アイコンＳ１および第２切替アイコンＳ２が表示される。
【００２９】
また、この状態で、レンズ４を被写体１００に向けると、レンズ４が集光した光を撮像部７が処理し、制御部９が撮像画像情報を記憶部８に格納すると共に、表示部３に表示する。これにより、撮像した被写体１００の画像が表示部３に表示される。これにより、レンズ４及び撮像部７を介して撮像された被写体１００が表示部３に表示されると共に、アイコン画像情報（コマンドアイコンＣ１、Ｃ２、・・・、第１切替アイコンＳ１および第２切替アイコンＳ２）が表示部３に表示される。
【００３０】
また、制御部９は、矢示Ｑのように、タッチパネル１０において円弧の軌跡が入力されると、複数のコマンドアイコンＣ１、Ｃ２、・・・に対応する複数のコマンドを相互に切り替えることができる。したがって、ユーザーは、タッチパネル１０に円弧の軌跡を描くことにより、複数のコマンドを相互に切り替えることができ、それにより、複数のコマンドの中からユーザーが望む任意のコマンドを選択することができる。
【００３１】
コマンドを選択した後、シャッターを切ることにより、被写体を撮影することができる。シャッターは、タッチパネル１０を押圧することにより切ることができる。また、別途のシャッターボタンを押圧することにより切ることもできる。
【００３２】
上記の実施形態に係る携帯端末装置１によれば、ユーザーは、第１切替アイコンＳ１又は第２切替アイコンＳ２のいずれかにおいてコマンドの切り替え操作を行うことができる。これにより、コマンド選択をするにあたって、ユーザーの希望するモード（第１切替アイコンＳ１又は第２切替アイコンＳ２）を用いてコマンド選択できるので、ユーザーにとってコマンド選択がしやすくなる。
【００３３】
また、表示部３に被写体１００が表示されている状態で、アイコン画像情報（コマンドアイコンＣ１、Ｃ２、・・・、第１切替アイコンＳ１および第２切替アイコンＳ２）を表示し、コマンドの切り替えをするので、被写体１００の撮像状態を確認しながらコマンドの切り替えをすることができる。
【００３４】
また、第１切替アイコンＳ１および第２切替アイコンＳ２が互いに離間して表示部３に表示されているので、携帯端末装置１を左右いずれの手で把持しても、コマンドの切り替え操作を行いやすい。
【００３５】
以上、本発明の一実施形態について説明したが、本発明の具体的な態様は上記実施形態に限定されるものではない。
【００３６】
例えば、上記実施形態では、携帯端末装置１の起動により上記のアイコン等が表示される構成であったが、この構成に限定されず、別途のソフトウェアの起動により上記のアイコン等が表示される構成であってもよい。また、携帯端末装置１の起動時、又は、ソフトウェアの起動時に、図４に示すように、制御部９が表示部３にシャッターアイコンＴを表示する構成であってもよい。シャッターアイコンＴは、タッチパネル１０のタッチによりシャッターが切られることを示すものであり、ユーザーは、シャッターアイコンＴが表示部３に表示されることにより、タッチパネル１０をタッチすればシャッターが切られることを認識することができる。このシャッターアイコンＴを表示するための画像情報は、シャッターアイコン情報として記憶部８に格納されており、制御部９がこれを表示部３に表示する。このとき、制御部９は、シャッターアイコンＴを起動時のみに一時的に表示してすぐに表示を消してもよく、また、そのまま続けて表示しもよい。そして、タッチパネル１０のタッチによりシャッターが切られると、レンズ４が受光した被写体１００の光を撮像部７が処理し、撮像画像情報として制御部９に送る。制御部９は、撮像画像情報を記憶部８に記憶すると共に、表示部３に表示する。
【００３７】
また、撮像部７は、被写体１００を撮像するときにその被写体が人物である場合はその人物の顔を検出する顔検出機能を有していてもよい。この場合さらに、表示部３に顔が表示されている部分におけるタッチパネル１０をタッチすることによりシャッターが切られる構成にしてもよい。また、それと共に、表示部３に顔が表示されていない部分におけるタッチパネル１０をタッチすることにより、被写体の顔をフォーカスする構成にしてもよい。
【００３８】
また、上記実施形態では、第１切替アイコンＳ１および第２切替アイコンＳ２のいずれについても、タッチパネル１０において円弧の軌跡が入力されると複数のコマンドを相互に切り替える構成であったが、必ずしもこの構成に限定されるものではない。例えば、図５に示すように、第２切替アイコンＳ２が、直線軌跡が入力されると複数のコマンドを相互に切り替える構成であってもよい。
【符号の説明】
【００３９】
１    携帯端末装置
２    装置本体
３    表示部
４    レンズ
７    撮像部
８    記憶部
９    制御部
１０  タッチパネル
１００  被写体
【図１】
2012128599.tif 000003
【図２】
2012128599.tif 000004
【図３】
2012128599.tif 000005
【図４】
2012128599.tif 000006
【図５】
2012128599.tif 000007